(57)【要約】      （修正有）【課題】ロープライト同士の接続が外れるおそれを防止することができるロープライト及び照明装置を提供する。【解決手段】複数のＬＥＤが長手方向に間隔をあけて配置されたロープライト本体１１と、ロープライト本体１１の一端に設けられた一方のコネクター部１３と、ロープライト本体１１の他端に設けられた他方のコネクター部１２と、を備えたロープライトにおいて、一方のコネクター部１３が、長手方向に対して交差する外方向に張出部１３ｉが張り出してなり、張出部１３ｉが設置箇所への係止めに用いられて、ロープライト同士の接続が外れないようにした。【選択図】図２
0003235276.tif 000002
【実用新案登録請求の範囲】
【請求項１】
複数のＬＥＤが長手方向に間隔をあけて配置されたロープライト本体と、
前記ロープライト本体の一端に設けられた一方のコネクター部と、
前記ロープライト本体の他端に設けられた他方のコネクター部と、
を備えたロープライトにおいて、
前記一方のコネクター部が、前記長手方向に対して交差する外方向に張出部が張り出してなり、
前記張出部が設置箇所への係止めに用いられて、直列接続された前記ロープライトの接続が外れないようにしたことを特徴とする、ロープライト。
【請求項２】
複数のＬＥＤが長手方向に間隔をあけて配置されており、前記ＬＥＤに導通するための導線が両端に達しているロープライト本体と、
前記ロープライト本体の一端に設けられた一方のコネクター部と、
前記ロープライト本体の他端に設けられた他方のコネクター部と、
を備えたロープライトにおいて、
前記一方のコネクター部が、
前記導線の端部を終端する一方の終端部と、
前記一方の終端部から先端側に延びる金属筒の対を保持し、当該金属筒につながる開口を有する保持部と、
前記保持部と外方向に隙間を開けて設けられ、外周にネジが形成されたネジ部と、
前記一方の終端部と前記保持部との間において外側に張り出した鍔部と、
前記長手方向に対して交差する外方向に係止部を設けるように前記鍔部と一体化された係止用の張出部と、
を備えており、
前記他方のコネクター部が、
前記導線の端部を終端する他方の終端部と、
前記他方の終端部から先端側に延びるように導電ピンを立設する立設部と、
前記導電ピンの延びる方向に前記立設部から延びて隙間を設けて前記導電ピンを囲むスリーブ部と、
を備え、
前記張出部が設置箇所への係止めに用いられて、直列接続された前記ロープライトの接続が外れないようにしたことを特徴とする、ロープライト。
【請求項３】
複数の請求項２に記載のロープライトを備えており、
直列接続される一方の前記ロープライトにおける前記一方のコネクター部の前記保持部と前記ネジ部との間の前記隙間に、一方の前記ロープライトに直列接続される他方の前記ロープライトにおける前記他方のコネクター部の前記スリーブ部が押圧により挿入され、前記一方のコネクター部の前記保持部と前記ネジ部とで前記他方のコネクター部のスリーブ部を担持する、ロープライト。
【請求項４】
一又は複数の請求項１乃至３の何れかに記載のロープライトと、
前記ロープライトの何れかに脱着可能に接続される電源接続用コードと、
を備え、
前記電源接続用コードの前記ロープライトに対するコネクター部が、前記長手方向に対して交差する外方向に張出部が張り出してなり、
前記張出部が設置箇所への係止めに用いられて、前記ロープライトと前記電源接続用コードとの接続が外れないようにした、照明装置。
【請求項５】
複数の請求項２又は３に記載のロープライトと、
ＡＣ電源に接続可能でありＡＣ電流をＤＣ電流に変換する整流器を介在し前記ロープライトの何れかに脱着可能に接続するためのコネクター部を有する電源接続用コードと、
を備え、
前記電源接続用コードの前記ロープライトに対する前記コネクター部が、
前記整流器を経由して導通するための導線の端部を終端する一方の終端部と、
前記一方の終端部から先端側に延びる金属筒の対を保持し、当該金属筒につながる開口を有する保持部と、
前記保持部と外方向に隙間を開けて設けられ、外周にネジが形成されたネジ部と、
前記一方の終端部と前記保持部との間において外側に張り出した鍔部と、
前記長手方向に対して交差する外方向に係止部を設けるように前記鍔部と一体化された係止用の張出部と、
を備え、
前記ロープライトの前記張出部及び前記電源接続用コードの前記張出部が設置箇所への係止めに用いられて、前記ロープライト同士の接続及び／又は前記ロープライトと前記電源接続用コードの接続が外れないようにした、照明装置。
【請求項６】
前記電源接続用コードにおける前記コネクター部の前記保持部と前記ネジ部との間の前記隙間に、前記電源接続用コードに接続される前記ロープライトにおける前記他方のコネクター部の前記スリーブ部が押圧により挿入され、前記電源接続用コードにおける前記コネクター部の前記保持部と前記ネジ部とで前記ロープライトにおける前記他方のコネクター部の前記スリーブ部を担持する、請求項５に記載の照明装置。
【考案の詳細な説明】
【技術分野】
【０００１】
本考案は、ロープライト及び照明装置に関する。
【背景技術】
【０００２】
夜間外において作業をする場合、トンネルや建物などの構造物内で作業をする場合、ＬＥＤによる照明装置を仮設している。そのような照明装置は、特許文献１に記載されているように、長手方向に間隔をあけてＬＥＤを有するロープライトが直列に接続され、ロープライトのうちの一つが電源接続用コードに接続され、ロープライトのうち電源接続用コードから最も遠いロープライトの先端がキャップにより終端される。これにより、ＬＥＤにより照明したい長さに合わせてロープライト本体の接続本数を調整することがする。このような照明装置では、一方のロープライトの一端部のコネクター部の外周にネジが形成されており、他方のロープライトの一端部のコネクター部に装着されたカバーの内周にネジが形成されている。ロープライトにはネジ構造がその両端部に設けられている。このようなネジ構造が例えば特許文献２に開示されている。
【先行技術文献】
【特許文献】
【０００３】
【特許文献１】実用新案登録第３２２５０７０号公報（図１）
【特許文献２】実用新案登録第３０９８３４７号公報（図１）
【考案の開示】
【考案が解決しようとする課題】
【０００４】
しかしながら、一方のロープライトのコネクター部外周と他方のロープライトのコネクター部に装着されたカバーの内周とにそれぞれ形成されたネジで締結したとしても、複数のロープライト同士、電源接続用コードとロープライトとの接続は何れも嵌め合わせであり、ロープライトのコネクター部とカバーとの素材が異なることがあるため、ネジによる締結が外れることがある。また、電源接続用コードの中間にある程度の重量の有る整流器が介在されているため、複数のロープライトのうち電源接続用コードから遠いロープライトは、それよりも電源接続用コードを含めた電源接続用コード側のロープライトの自重及び電源接続用コードの自重により、ロープライト同士の接続が外れるおそれがある。
【０００５】
そこで、本考案では、ロープライト同士の接続が外れるおそれを防止することができるロープライト及び照明装置を提供することを目的とする。
【課題を解決するための手段】
【０００６】
前記目的を達成するために、本考案は次のような構成を採用する。
本考案の請求項１に係るロープライトは、
複数のＬＥＤが長手方向に間隔をあけて配置されたロープライト本体と、
前記ロープライト本体の一端に設けられた一方のコネクター部と、
前記ロープライト本体の他端に設けられた他方のコネクター部と、
を備えたロープライトにおいて、
前記一方のコネクター部が、前記長手方向に対して交差する外方向に張出部が張り出してなり、
前記張出部が設置箇所への係止めに用いられて、直列接続された前記ロープライトの接続が外れないようにしたことを特徴とする。
【０００７】
本考案の請求項２に係るロープライトは、
複数のＬＥＤが長手方向に間隔をあけて配置されており、前記ＬＥＤに導通するための導線が両端に達しているロープライト本体と、
前記ロープライト本体の一端に設けられた一方のコネクター部と、
前記ロープライト本体の他端に設けられた他方のコネクター部と、
を備えたロープライトにおいて、
前記一方のコネクター部が、
前記導線の端部を終端する一方の終端部と、
前記一方の終端部から先端側に延びる金属筒の対を保持し、当該金属筒につながる開口を有する保持部と、
前記保持部と外方向に隙間を開けて設けられ、外周にネジが形成されたネジ部と、
前記一方の終端部と前記保持部との間において外側に張り出した鍔部と、
前記長手方向に対して交差する外方向に係止部を設けるように前記鍔部と一体化された係止用の張出部と、
を備えており、
前記他方のコネクター部が、
前記導線の端部を終端する他方の終端部と、
前記他方の終端部から先端側に延びるように導電ピンを立設する立設部と、
前記導電ピンの延びる方向に前記立設部から延びて隙間を設けて前記導電ピンを囲むスリーブ部と、
を備え、
前記張出部が設置箇所への係止めに用いられて、直列接続された前記ロープライトの接続が外れないようにしたことを特徴とする。
【０００８】
本考案の請求項３に係るロープライトは、
複数の請求項２に記載のロープライトを備えており、
直列接続される一方の前記ロープライトにおける前記一方のコネクター部の前記保持部と前記ネジ部との間の前記隙間に、一方の前記ロープライトに直列接続される他方の前記ロープライトにおける前記他方のコネクター部の前記スリーブ部が押圧により挿入され、前記一方のコネクター部の前記保持部と前記ネジ部とで前記他方のコネクター部のスリーブ部を担持することを特徴とする。
【０００９】
本考案の請求項４に係る照明装置は、
一又は複数の請求項１乃至３の何れかに記載のロープライトと、
前記ロープライトの何れかに脱着可能に接続される電源接続用コードと、
を備え、
前記電源接続用コードの前記ロープライトに対するコネクター部が、前記長手方向に対して交差する外方向に張出部が張り出してなり、
前記張出部が設置箇所への係止めに用いられて、前記ロープライトと前記電源接続用コードとの接続が外れないようにしたことを特徴とする。
【００１０】
本考案の請求項５に係る照明装置は、
複数の請求項２又は３に記載のロープライトと、
ＡＣ電源に接続可能でありＡＣ電流をＤＣ電流に変換する整流器を介在し前記ロープライトの何れかに脱着可能に接続するためのコネクター部を有する電源接続用コードと、
を備え、
前記電源接続用コードの前記ロープライトに対する前記コネクター部が、
前記整流器を経由して導通するための導線の端部を終端する一方の終端部と、
前記一方の終端部から先端側に延びる金属筒の対を保持し、当該金属筒につながる開口を有する保持部と、
前記保持部と外方向に隙間を開けて設けられ、外周にネジが形成されたネジ部と、
前記一方の終端部と前記保持部との間において外側に張り出した鍔部と、
前記長手方向に対して交差する外方向に係止部を設けるように前記鍔部と一体化された係止用の張出部と、
を備え、
前記ロープライトの前記張出部及び前記電源接続用コードの前記張出部が設置箇所への係止めに用いられて、前記ロープライト同士の接続及び／又は前記ロープライトと前記電源接続用コードの接続が外れないようにしたことを特徴とする。
【００１１】
本考案の請求項６に係る照明装置は、請求項５に記載の照明装置において、
前記電源接続用コードにおける前記コネクター部の前記保持部と前記ネジ部との間の前記隙間に、前記電源接続用コードに接続される前記ロープライトにおける前記他方のコネクター部の前記スリーブ部が押圧により挿入され、前記電源接続用コードにおける前記コネクター部の前記保持部と前記ネジ部とで前記ロープライトにおける前記他方のコネクター部の前記スリーブ部を担持することを特徴とする。
【考案の効果】
【００１２】
本考案によれば、ロープライトに設けた張出部を設置箇所に係止することにより、ロープライト同士が外れないようにしたロープライト及び照明装置を提供することができる。
【図面の簡単な説明】
【００１３】
【図１】図１は、本考案の実施形態に係るロープライトを用いた照明装置を模式的に示す図である。
【図２】図２は、図１におけるロープライト同士、ロープライトと電源接続用コードの端部を示す正面図である。
【図３】図３は、図１におけるロープライト同士、ロープライトと電源接続用コードの端部の一部断面を示す側面図である。
【図４】図４は、図２に示すＩＶ−ＩＶ線に沿って見た矢視図である。
【図５】図５は、図２に示すＶ−Ｖ線に沿って見た矢視図である。
【図６】図６は、本考案の実施形態に係る照明装置の使用状態を模式的に示す図である。
【図７】図７は、図６とは異なる本考案の実施形態に係る照明装置の使用状態を模式的に示す図である。
【考案を実施するための形態】
【００１４】
以下、図面を参照しながら、本考案の実施形態について詳細に説明する。図示する形態は幾つかの好ましい形態を示すものであり、本考案の範囲において適宜変更してもよい。
【００１５】
図１には本考案の実施形態に係るロープライト１０を用いた照明装置１が示されており、図２には図１におけるロープライト１０同士、ロープライト１０と電源接続用コード２０の端部の正面が示されており、図３にはその一部断面を示す側面が示されている。図４、図５には、図２に示すＩＶ−ＩＶ線、Ｖ−Ｖ線に沿う矢視図が示されている。なお、図２乃至図５において括弧内の符号は電源接続用コード２０の部分に関するものである。
【００１６】
本考案の実施形態に係るロープライト１０を用いた照明装置１は、図１に示されているように、電源接続用コード２０と、複数のロープライト１０と、電源接続用コード２０から最も遠い位置におけるロープライト１０の先端を終端するキャップ３０とを含んで構成される。複数のロープライト１０のうち一つは、電源接続用コード２０に接続される。ロープライト１０は三本を示しているが、照明のために必要となる長さを有するように複数本、例えば１０本のロープライト１０が直列に接続される。
【００１７】
電源接続用コード２０は、ＡＣ電源に接続されるものであり、コード本体２１と、コード本体２１の一端に設けられてＡＣ電源に接続されるプラグ２２と、コード本体２１の他端に設けられるコネクター部２３と、コード本体２１の中途に介在される整流器を内蔵した回路部２４とで構成されている。整流器はＡＣ電流をＤＣ電流に変換する。
【００１８】
ロープライト１０は、ロープライト本体１１と、ロープライト本体１１の一端に設けられた一方のコネクター部１３と、ロープライト本体１１の他端に接続するように設けられた他方のコネクター部１２とで構成されている。
【００１９】
ロープライト本体１１は、図２に模式的に示されているように、複数のＬＥＤ１１ｂがフレキシブル基板１１ｃ上に長手方向に間隔をあけて配置されており、フレキシブル基板１１ｃの一端に接続される導線１１ａの対がロープライト本体１１の一端に延びて設けられ、フレキシブル基板１１ｃの他端に接続される導線１１ａの対がロープライト本体１１の他端に延びて設けられている。ロープライト本体１１は、長手方向に沿って互いに背を向けて逆向きに発せられるようにＬＥＤ１１ｂが設けられていてもよいし、一方に発せられるようにＬＥＤ１１ｂが設けられていてもよい。
【００２０】
一方のコネクター部１３はロープライト本体１１の一端に設けられている。一方のコネクター部１３は、図２乃至図５に示されているように、導線１１ａの一端を保持して終端する一方の終端部１３ａと、一方の終端部１３ａから先端側に延びる金属筒１３ｂの対を保持し、当該金属筒１３ｂにつながる開口１３ｃを有する保持部１３ｄと、保持部１３ｄと外方向に隙間１３ｅを開けて設けられ、外周にネジが形成されたネジ部１３ｆと、一方の終端部１３ａと保持部１３ｄとの間において外側に張り出した張出部１３ｉと、長手方向に対して交差する（例えば４５度乃至９０度の角度で交差する）外方向に即ち金属筒１３ｂを含む保持部１３ｄ及びネジ部１３ｆとオフセットされた位置に係止部１３ｈとしての貫通孔を設けるように張出部１３ｉと一体化された係止部１３ｈとを含んで構成されている。
【００２１】
他方のコネクター部１２はロープライト本体１１の他端に設けられている。他方のコネクター部１２は、図２乃至図５に示されているように、導線１１ａの他端を保持して終端する他方の終端部１２ａと、他方の終端部１２ａから先端側に延びるように導電ピン１２ｂの対を立設する立設部１２ｃと、導電ピン１２ｂの延びる方向に立設部１２ｃから延びて隙間１２ｄを開けて導電ピン１２ｂを囲むスリーブ部１２ｅとを含んで構成されている。
【００２２】
一方のコネクター部１３は、導線１１ａ及び金属筒１３ｂを除いて、絶縁性素材、例えば樹脂で構成されている。他方のコネクター部１２は、導線１１ａ及び導電ピン１２ｂを除いて、絶縁性素材、例えば樹脂で構成されている。一方のコネクター部１３における開口１３ｃに対して、他方のコネクター部１２における導電ピン１２ｂが挿入されつつ、一方のコネクター部１３における保持部１３ｄとネジ部１３ｆとの間の隙間１３ｅに対して、他方のコネクター部１２におけるスリーブ部１２ｅが挿入される。他方のコネクター部１２におけるスリーブ部１２ｅが、一方のコネクター部１３における保持部１３ｄとネジ部１３ｆとの間の隙間１３ｅに押し込まれることにより、ネジ部１３ｆが外方向から軸に向けて保持部１３ｄを押圧されることと相まって、保持部１３ｄとネジ部１３ｆとが同軸上に配置されたスリーブ部１２ｅを担持する。
【００２３】
他方のコネクター部１２におけるカバー１４が、ロープライト本体１１から他方の終端部１２ａに装着されて、カバー１４の内側に形成したネジが一方のコネクター部１３のネジ部１３ｆに螺合して、カバー１４の先端が一方のコネクター部１３における鍔部１３ｇと近接される。カバー１４は立設部１２ｃに当接してスリーブ部１２ｅを被覆自在な樹脂部材である。カバー１４の素材は、ネジ部１３ｆの素材と同一でも異なる場合でも構わない。カバー１４の素材がネジ部１３ｆの素材と異なることにより、カバー１４が取付作業者の手による圧力で変形しない一方、ネジ部１３ｆが取付作業者の手による圧力で容易に変形自在であっても構わない。なお、他方のコネクター部１２のスリーブ部１２ｅにはシール材１５として例えばゴム製のリング部材が装着され、一方のコネクター部１３のネジ部１３ｆ及び鍔部１３ｇとをシールする。
【００２４】
以上のように、或るロープライト１０の一方のコネクター部１３が、別のロープライト１０の他方のコネクター部１２と接続されることにより、所定本数のロープライト１０を直列に接続することができる。
【００２５】
電源接続用コード２０のコネクター部２３は、ロープライト１０の一方のコネクター部１３と同一の構造を有している。よって、何れのロープライト１０にも接続することができ、複数本の直列に接続されたロープライト１０の他方コネクター部１２に対して、電源接続用コード２０のコネクター部２３を接続することができる。
【００２６】
電源接続用コード２０のコネクター部２３、ロープライト１０の一方のコネクター部１３には、張出部１３ｉ，２３ｉが外方向に張り出している。そのため、図６に示すように、ロープライト１０を少なくとも鉛直方向成分を有するように配設したとしても、張出部１３ｉ，２３ｉの係止部１３ｈ，２３ｈに紐部材などの可撓性部材５や図示しないアタッチメントにより設置箇所に取り付ける。アタッチメントは、無端形状とは異なり、張出部１３ｉ，２３ｉの係止部１３ｈ，２３ｈとしての貫通孔に通して係止することができるような例えばＳ字形状を有していてもよい。これにより、設置箇所よりも下方側にある電源接続用コード２０及び一又は複数のロープライト１０を吊り下げることができ、その吊り下げ位置よりも上方側にあるロープライト１０からそれよりも下方側にあるロープライト１０の自重による脱着を防止することができる。なお、ロープライト１０の設置箇所には、フレームとしての縦フレーム６が設けられている。また、図７に示すように、鉛直方向成と直交する横方向成分を有するようにロープライト１０を配設したしても、張出部１３ｉ，２３ｉの係止部１３ｈ，２３ｈに紐部材などの可撓性部材５や図示しないアタッチメントにより、ロープライト１０や電源接続用コード２０を設置箇所に取り付けてもよい。これらのようにすれば、ロープライト１０における他方のコネクター部１２に装着されたカバー１４の素材が、当該ロープライト１０に接続される別のロープライト１０の一方のコネクター部１３や電源接続用コード２０におけるコネクター部２３におけるネジ部１３ｆ，２３ｆの素材と異なり、カバー１４が取付作業者の手による圧力で変形しない一方ネジ部１３ｆ，２３ｆが取付作業者の手による圧力で容易に変形自在であっても。これらのロープライト１０同士の接続、ロープライト１０と電源接続用コード２０の接続が、何れも外れないようにすることができる。
【００２７】
張出部１３ｉ，２３ｉの係止部１３ｈ，２３ｈは、貫通孔に限らず、引っ掛かりできるような突起があればよく、この場合にはフックを有している。また、張出部１３ｉ，２３ｉは、鍔部１３ｇ，２３ｇよりも外側に偏位して設けれていれば良く、張出部１３ｉ，２３ｉは、長手方向から見て外形が円形でも楕円形でも三角形でも四角形などの多角形でもよい。また、係止部１３ｈ，２３ｈとしての貫通孔は、円形でも楕円形でも三角形でも四角形などの多角形でもよい。
【００２８】
本考案の実施形態に係るロープライト１０は、次のような構成を採用している。すなわち、本考案の実施形態に係るロープライト１０は、ロープライト本体１１と、ロープライト本体１１の一端に設けられた一方のコネクター部１３と、ロープライト本体１１の他端に設けられた他方のコネクター部１２とを備えており、ロープライト本体１１に複数のＬＥＤ１１ｂが長手方向に間隔をあけて配置されているロープライト１０において、一方のコネクター部１３が、長手方向に対して交差する（例えば４５度乃至９０度の角度で交差する）外方向に張出部１３ｉが張り出してなる。張出部１３ｉが長手方向と交差する方向に張り出しており、即ち、一方のコネクター部１３の延びる方向と交差する方向に張り出しており、この張出部１３ｉに係止部１３ｈを設けることができるため、係止部１３ｈに紐部材などの可撓性部材５やアタッチメントを用いて設置箇所に係止させることができる。これにより、張出部１３ｉが設置箇所への係止めに用いられて、下方のロープライト１０が自重により上方のロープライト１０から脱離しないため、ロープライト１０，１０同士の接続の離脱が防止される。
【００２９】
本考案の実施形態に係るロープライト１０は、ロープライト本体１１と、ロープライト本体１１の一端に設けられた一方のコネクター部１３と、ロープライト本体１１の他端に設けられた他方のコネクター部１２とを備えており、ロープライト本体１１には複数のＬＥＤ１１ｂが長手方向に間隔をあけて配置されておりかつＬＥＤ１１ｂに導通するための導線１１ａが両端に達しているロープライト１０において、一方のコネクター部１３と他方のコネクター部１２とが次のような構造を有している。すなわち、一方のコネクター部１３が、導線１１ａの端部を終端する一方の終端部１３ａと、一方の終端部１３ａから先端側に延びる金属筒１３ｂの対を保持し、当該金属筒１３ｂにつながる開口１３ｃを有する保持部１３ｄと、保持部１３ｄと外方向に隙間１３ｅを開けて設けられ、外周にネジが形成されたネジ部１３ｆと、一方の終端部１３ａと保持部１３ｄとの間において外側に張り出した鍔部１３ｇと、長手方向に交差する（例えば４５度乃至９０度の角度で交差する）外方向に、つまり鍔部１３ｇとオフセットされた位置に係止部１３ｈを設けるように鍔部１３ｇと一体化された係止用の張出部１３ｉとを備える。他方のコネクター部１２が、導線１１ａの端部を終端する他方の終端部１２ａと、他方の終端部１２ａから先端側に延びるように導電ピン１２ｂの対を立設する立設部１２ｃと、導電ピン１２ｂの延びる方向に立設部１２ｃから延びて隙間１２ｄを開けて導電ピン１２ｂを囲むスリーブ部１２ｅと、を備える。
【００３０】
特に、張出部１３ｉが一方のコネクター部１３の延びる方向と交差する方向に張り出しているため、張出部１３ｉに係止部１３ｈを設けることができ、係止部１３ｈに紐部材などの可撓性部材５やアタッチメントを用いて設置箇所に係止させることができる。これにより、張出部１３ｉが設置箇所への係止めに用いられて、下方のロープライト１０が自重により上方のロープライト１０から脱離しないため、ロープライト１０，１０同士の接続の離脱が防止される。
【００３１】
特に、接続される一方のロープライト１０における一方のコネクター部１３の保持部１３ｄとネジ部１３ｆとの間の隙間１３ｅに、一方のロープライト１０に接続される他方のロープライト１０の他方のコネクター部１２のスリーブ部１２ｅを押圧により挿入され、一方のコネクター部１３の保持部１３ｄとネジ部１３ｆとで他方のコネクター部１２のスリーブ部１２ｅを担持する。このため、ロープライト１０，１０同士の接続の離脱がより防止される。
【００３２】
本考案の実施形態に係る照明装置１は、本考案の実施形態に係る一又は複数のロープライト１０と、ロープライト１０の何れかに脱着可能に接続するためのコネクター部２３を有する電源接続用コード２０と、を備えており、電源接続用コード２０のロープライト１０に対するコネクター部２３が、長手方向に対して交差する外方向に張出部２３ｉが張り出してなる。張出部２３ｉがコネクター部２３の延びる方向と交差する方向に張り出しており、この張出部２３ｉに係止部２３ｈを設けることができるため、係止部２３ｈに紐部材などの可撓性部材５やアタッチメントを用いて設置箇所に係止させることができる。これにより、張出部２３ｉが設置箇所への係止めに用いられて、下方の電源接続用コード２０が回路部２４を含んだ自重により上方のロープライト１０から脱離しないため、電源接続用コード２０とロープライト１０との接続の離脱が防止される。
【００３３】
本考案の実施形態に係る照明装置１は、本考案の実施形態に係るロープライト１０と電源接続用コード２０とを備えており、電源接続用コード２０のロープライト１０に対するコネクター部２３が、整流器を経由して導通するための導線２１ａの端部を終端する一方の終端部２３ａと、一方の終端部２３ａから先端側に延びる金属筒２３ｂの対を保持し、当該金属筒２３ｂにつながる開口２３ｃを有する保持部２３ｄと、保持部２３ｄと外方向に隙間２３ｅを開けて設けられ、外周にネジが形成されたネジ部２３ｆと、一方の終端部２３ａと保持部２３ｄとの間において外側に張り出した鍔部２３ｇと、長手方向に対して交差する方向につまり鍔部２３ｇとオフセットされた位置に係止部２３ｈを設けるように鍔部２３ｇと一体化された係止用の張出部２３ｉと、を備える。張出部２３ｉが長手方向と交差する方向につまりコネクター部２３の延びる方向と交差する方向に張り出しているため、張出部２３ｉに係止部２３ｈを設けることができ、係止部２３ｈに紐部材などの可撓性部材５やアタッチメントを用いて設置箇所に係止させることができる。これにより、張出部２３ｉが設置箇所への係止めに用いられて、下方の電源接続用コード２０が自重により上方のロープライト１０から脱離しないため、電源接続用コード２０とロープライト１０との接続の離脱が防止される。
【００３４】
特に、電源接続用コード２０におけるコネクター部２３の保持部２３ｄとネジ部２３ｆとの間の隙間２３ｅに、電源接続用コード２０に接続されるロープライト１０における他方のコネクター部１２のスリーブ部１２ｅが押圧により挿入されて、コネクター部２３の保持部２３ｄとネジ部２３ｆとでロープライト１０における他方のコネクター部１２のスリーブ部１２ｅを担持する。これにより、電源接続用コード２０とロープライト１０との接続の離脱がより防止される。ここで、担持するとは、例えば、同軸上に配置されたコネクター部２３の保持部２３ｄとネジ部２３ｆとが、ロープライト１０における他方のコネクター部１２のスリーブ部１２ｅを半径方向に挟んで保持することを意味する。
【００３５】
本考案の実施形態では、コネクター部１３，２３の鍔部１３ｇ，２３ｇに張出部１３ｉ，２３ｉを設けるようにしているが、コネクター部１２に装着されるカバー１４に同様な張出部を設けるようにしてもよい。これにより、互いに接続されるロープライト１０，１０同士の上下の位置関係、ロープライト１０と電源接続用コード２０の上下の位置関係に拘る必要がなくなる。
【００３６】
本考案の実施形態では、図３に示すように、コネクター部１３，２３における保持部１３ｄ，２３ｄに切り欠き部１３ｊ、２３ｊを設け、コネクター部１２におけるスリーブ部１２ｅに位置決め用の突起部１２ｆを設け、切り欠き部１３ｊ、２３ｊに位置決め用の突起部１２ｆが合わさるようにすることより、開口１３ｃ，２３ｃと導電ピン１２ｂとが位置決めされて導電ピン１２ｂが開口１３ｃ，２３ｃに挿入され、導電ピン１２ｂが金属筒に挿入される。
【符号の説明】
【００３７】
１：照明装置
５：可撓性部材
６：縦フレーム
７：横フレーム
１０：ロープライト
１１：ロープライト本体
１１ａ，２１ａ：導線
１２：他方のコネクター部
１２ａ：他方の終端部
１２ｂ：導電ピン
１２ｃ：立設部
１２ｄ：隙間
１２ｅ：スリーブ部
１２ｆ：位置決め用の突起部
１３：一方のコネクター部
１３ａ，２３ａ：一方の終端部
１３ｂ，２３ｂ：金属筒
１３ｃ，２３ｃ：開口
１３ｄ，２３ｄ：保持部
１３ｅ，２３ｅ：隙間
１３ｆ，２３ｆ：ネジ部
１３ｇ，２３ｇ：鍔部
１３ｈ，２３ｈ：係止部（貫通孔）
１３ｉ，２３ｉ：張出部
１３ｊ．２３ｊ：切り欠き部
１４：カバー
１５：シール材
２０：電源接続用コード
２１：コード本体
２２：プラグ
２４：回路部
２３：コネクター部
３０：キャップ
【図１】
0003235276.tif 000003
【図２】
0003235276.tif 000004
【図３】
0003235276.tif 000005
【図４】
0003235276.tif 000006
【図５】
0003235276.tif 000007
【図６】
0003235276.tif 000008
【図７】
0003235276.tif 000009